(57)【特許請求の範囲】
【請求項１】
原稿サイズ検出手段と、画像拡大縮小手段と、操作表示手段とを備え、
上記原稿サイズ検出手段がサイズを検出した原稿の画像を、上記画像拡大縮小手段によって拡大あるいは縮小させるときには、上記操作表示手段は、原稿サイズと記録紙サイズとを対応させた複数の標準倍率選択項目のうち、上記検出した原稿サイズに関連する標準倍率選択項目を、カーソル初期表示位置に近い位置から優先させて並べ替え表示することを特徴とする複写機能付き通信端末装置。
【発明の詳細な説明】
【０００１】
【発明の属する技術分野】
本発明は、高性能のプリンタを備えたファクシミリ装置などの複写機能付き通信端末装置に関する。
【０００２】
【従来の技術】
近時、複写機能付き通信端末装置（複合機）として、高性能のプリンタを備えたファクシミリ装置が普及しつつあり、このようなファクシミリ装置では、使用する前に、モード切換キーを操作し、ファクシミリモードあるいはコピーモードを選択してから、各モードに対応した操作をするようになっている。
【０００３】
ファクシミリモードでは、原稿をセットした後に、相手先のダイヤル番号をテンキー等から入力し、スタートキーを操作すれば、原稿の画像を読み込んで、相手先に画像データを送信する。
コピーモードでは、原稿をセットした後に、複数部をコピーする場合であれば所望の部数を、複写倍率を変更する場合であればその倍率を、テンキー等で入力してから、スタートキーを操作すれば、原稿の画像を読み込んで、予めセットした記録紙にコピーする。
【０００４】
【発明が解決しようとする課題】
ところが、上記従来の複写機能付き通信端末装置では、コピーモードにおいて、複写倍率を設定するときに、複数ある標準倍率のうち、どこに希望する倍率があるのかが判り難い場合があった。
すなわち、拡大コピー又は縮小コピーを指示する前に表示される画面には、原稿サイズと記録紙サイズとを対応させた選択項目を一覧表示していることが多いが、原稿サイズをはっきり認識していないときは特に、選択する項目が判り難く、手間がかかっていた。
【０００５】
本発明は、このような事情に鑑みてなされたものであり、原稿画像の拡大コピー又は縮小コピーを指定するときに、画面内から容易に希望する項目が選択できるようにした複写機能付き通信端末装置を提供することを目的としている。
【０００６】
【課題を解決するための手段】
上記目的を達成するため、本発明の請求項１に記載の複写機能付き通信端末装置は、原稿サイズ検出手段と、画像拡大縮小手段と、操作表示手段とを備え、原稿サイズ検出手段がサイズを検出した原稿の画像を、画像拡大縮小手段によって拡大あるいは縮小させるときには、操作表示手段は、原稿サイズと記録紙サイズとを対応させた複数の標準倍率選択項目のうち、上記検出した原稿サイズに関連する標準倍率選択項目を、カーソル初期表示位置に近い位置から優先させて並べ替え表示することを特徴とする。
【０００７】
ここに、原稿サイズ検出手段は、原稿幅と原稿長とを検出して、原稿サイズを判別する。また、操作表示手段は、複数の原稿サイズの各々に対応させて、倍率変換後の画像サイズや、倍率を表示して、その中から希望する画像サイズや倍率の選択を可能とするが、定型の原稿サイズと定型の記録紙サイズとを対応させた項目を一覧表示していれば、選択がしやすい。本発明では、複数の選択項目のうち、検出した原稿サイズに関連する項目を、選択操作が少ないように近い位置に配置し、更に選択がしやすくする。
【００１０】
【発明の実施の形態】
以下に、本発明の実施の形態について、図面とともに説明する。
図１は、複写機能付き通信端末装置の構成の一例を示したブロック図である。ここには、通信端末装置としてファクシミリ装置Ｆの構成を示しているが、本発明はこれには限定されず、プリンタやスキャナを接続し、画像データの伝送機能を備えたコンピュータなどでも構成される。また、通信機能を備えないコピー機でも構成される。ただし、本発明では、画像の読み取り前に、セットされた原稿のサイズを検知する必要があるので、原稿画像の読み取りには、フラットベッドスキャナが好適に用いられる。
【００１１】
図において、１はＣＰＵ等で構成され、以下の各部を制御する主制御部、２は電話回線Ｌにダイヤル信号を送出したり、電話回線Ｌに対する接続制御を行うＮＣＵ、３はファクシミリ通信を行うために信号の変調と復調を行うモデム、４は符号化した画像データを一時格納する画像メモリ、５は各種データを記憶するためのＲＡＭ、６は制御プログラムやフォントデータなどを予め記憶したＲＯＭ、７は液晶画面やＬＥＤランプなどで構成された表示部、８は各種キーなどで構成された操作部、９はセットされた原稿から画像データを読み取る読取部、１０はファクシミリ受信した画像や、読取部９から読み取った画像を、予め複数の記録紙カセット１０ａの各々に収容された定型サイズの記録紙のいずれかに記録する記録部である。
【００１２】
記録部１０は、レーザー記録方式のプリンタなどで構成され、高品質の画像を高速で記録できるようになっており、操作部８のモード切換キー（不図示）によって、コピー（複写）モードに切り換えられた場合には、読取部９で読み取った原稿の画像を記録紙に記録（印字出力）する。
一方、ファクシミリモードに切り換えられた場合は、読取部９で読み取った原稿の画像を、符号化した後、モデム３、ＮＣＵ２を介して、相手のファクシミリ装置などに送信する。また、ファクシミリ受信は、いずれのモードでも実施ができるようになっており、ファクシミリモードのときは、受信した画像データを順次、記録部１０によって記録し、コピーモードにおいてコピー動作中のときは、受信した画像データを順次、画像メモリ４に蓄積しておき、コピー動作完了後に、この蓄積していた画像データを読み出して、記録部１０によって記録する。
【００１３】
本発明は、コピーモードにおける拡大あるいは縮小コピー時の動作に特徴があり、そのため、読取部９には、原稿載置台のガラス面上にセットされた原稿の主走査方向の長さ（原稿幅）を検出する原稿幅センサ９ａと、原稿の副走査方向の長さ（原稿長）を検出する原稿長センサ９ｂとを備え、これらで原稿サイズ検出手段を構成している。
【００１４】
各センサ９ａ，９ｂによってサイズを検出した原稿の画像を、拡大あるいは縮小する場合には、まず、表示部７に、選択項目として、複数の原稿サイズの各々に対応した、倍率変換後の画像サイズや、倍率を表示して、操作部８により、その中から希望する画像サイズや倍率の選択をすれば、その選択された項目に従って、画像拡大縮小手段である主制御部１が拡大コピー又は縮小コピーを行う。
【００１５】
通常、表示部７には、定型の原稿サイズと定型の記録紙サイズとを対応させた項目を一覧表示しておくことが多く、これによって、項目の選択がしやすいようになっている。
本発明では、表示部７と操作部８で操作表示手段を構成し、表示部７では、検出した原稿サイズに関連する選択項目を、カーソル初期表示位置に近い位置から優先させて並べ替えて表示するので、選択操作が少なくて済み、項目の選択が更にしやすいようになっている。
【００１６】
図２には、このときの表示部７への表示例を示している。図２の（ａ）は、検出した原稿サイズがＡ４サイズの場合、（ｂ）はＢ４サイズの場合、（ｃ）はＡ３サイズの場合を各々示している。
図において、▲１▼〜▲７▼は、各選択項目に付された番号であり、これらの項目を表示部７に一覧表示している。図示した表示部７は、操作部８と一体化してタッチパネルを構成しており、上移動キー（ア）、下移動キー（イ）によってカーソル（下線で示す）を移動させれば、その移動に伴って、倍率表示（エ）も変化する。例えば、（ａ）には、初期表示位置である項目▲１▼にカーソルがある場合を示しているが、下移動キー（イ）を操作する度に、項目▲２▼→▲３▼→▲４▼→▲５▼→▲６▼→▲７▼の順にカーソルが移動する。そして、セットキー（ウ）をタッチ操作すれば、そのときにカーソルがある項目に対する選択が確定する。項目確定後は、スタートキー８ｂを操作すると、その項目内容（倍率表示（エ））に従って、拡大コピーあるいは縮小コピーを実行する。
【００１７】
（ａ）では、カーソル初期表示位置である項目▲１▼の位置から近い順に、Ａ４サイズに関連する項目▲２▼，▲３▼が配置され、また、（ｂ）ではＢ４サイズに関連する項目▲４▼，▲５▼が、（ｃ）ではＡ３サイズに関連する項目▲６▼，▲７▼が配置される。なお、関連する項目が複数ある場合は、ここでは、倍率が高い順に表示しているが、これには限定されず、倍率が低い順や、等倍に近い順などであってもよい。
【００１８】
このように、セットされた原稿サイズに関連する項目を、カーソル初期位置に近い位置から優先させて表示するようにすれば、原稿サイズを認識していなくても、その画像の拡大あるいは縮小が、少ない操作（図では、１回か２回）で指示できる。
また、このファクシミリ装置Ｆは、原稿の画像を拡大あるいは縮小させるときに、検出した原稿サイズに関連する選択項目の表示形式を、他の選択項目の表示形式とは変えて、表示部７に表示することもできる。
【００１９】
図３は、このときの表示例を示している。画面の構成は図２と同じであるが、原稿サイズによって各項目の配置は変化せず、各項目の表示形式が変化する。ここには、Ｂ４サイズの原稿をセットした場合を示しており、（ａ）には関連項目ｘの表示形式が網掛け文字になる場合、（ｂ）には関連項目ｙの表示形式が大きい文字（拡大文字）になる場合、（ｃ）には関連項目ｙの表示形式が大きい文字になり、それ以外の項目ｚの表示形式が白抜きの斜体文字（イタリック）になる場合である。これらの表示をするときは、ＲＯＭ６に記憶されたフォントデータを選択することによって、文字の字体、大きさなどを変えており、このような表示をすれば、関連項目が目立って選択がしやすくなる。
【００２０】
なお、表示形式の変更は、図示したものには限定されず、関連項目が、その他の項目より強調されればよく、項目を構成する文字の字体、大きさ、色などのそれぞれ又はこれらの組合せを変えたり、項目全体を点滅させたりすればよい。
また、図では、カーソル位置は、この画面を表示したときに、従来の初期表示位置（図２の▲１▼）にはなく、関連項目の最初の項目になっており、倍率表示（エ）もその項目に対応して変化している。更に、（ａ）では、カーソル表示が点滅表示であることを示している。
【００２１】
次に、図２に示したような表示を、表示部７によって行うときの、主制御部１の動作をフローチャートで示す（１００〜１１１）。
操作部８の倍率設定キー８ａが押されると、主制御部１は、原稿サイズを判断し、Ａ３サイズのときはＡ３倍率メニュー表示を行い（図２（ｃ）参照）、Ｂ４サイズのときはＢ４倍率メニュー表示を行い（図２（ｂ）参照）、Ａ４サイズのときはＡ４倍率メニュー表示を行う（図２（ａ）参照）。原稿サイズがＡ３，Ｂ４，Ａ４以外のときは、予め定めた標準の倍率メニュー表示を行う（１００〜１０８）。なお、この標準の倍率メニュー表示は、上記Ａ３，Ｂ４，Ａ４の倍率メニュー表示のいずれかと同じであってもよい。
【００２２】
そして、表示された倍率メニューにおいて、倍率項目の選択が確定すれば、スタートキー８ｂの操作を契機に、読取部９が原稿画像を読み取り、選択した倍率に従って画像の拡大又は縮小を行ったのちに、記録部１０によって、該当する記録紙に記録を行う（１０９〜１１１）。
なお、各倍率メニューは、図３に示すような構成でもよく、そのときは、検出した原稿サイズに関連する項目を、他の項目と区別できるように、網掛けにしたり、赤色にしたり、拡大したり、字体を変えたりする。
【００２３】
【発明の効果】
以上の説明からも理解できるように、本発明の請求項１に記載の複写機能付き通信端末装置では、原稿画像を拡大あるいは縮小させるときに、原稿サイズに関連する選択項目を、カーソル初期表示位置に近い位置から優先させて表示する。したがって、選択する項目がすぐに判り、また、選択操作が少なくて済むので、時間がかからず操作性がよくなる。
【００２４】
また、原稿画像を拡大あるいは縮小させるときに、原稿サイズに関連する選択項目を、他の選択項目の表示形式と変えて表示させるようにすれば、選択する項目の判別がしやすく、操作性がよくなる。さらに、原稿サイズに関連する選択項目を、他の選択項目と、字体、大きさの少なくとも１つを変えて表示すれば、選択する項目が一目瞭然となる。
【図面の簡単な説明】
【図１】本発明の複写機能付き通信端末装置の構成の一例を示すブロック図である。
【図２】図１の通信端末装置の表示部への表示例を示す図である（請求項１）。
【図３】図１の通信端末装置の表示部への表示例を示す図である（請求項２，３）。
【図４】図１の通信端末装置の動作を一例を示すフローチャートである。
【符号の説明】
Ｆ・・・ファクシミリ装置
１・・・主制御部
７・・・表示部
８・・・操作部
９・・・読取部
９ａ・・・原稿幅センサ
９ｂ・・・原稿長センサ
１０・・・記録部
１０ａ・・・記録紙カセット
【図１】
0003767142.tif 000002
【図２】
0003767142.tif 000003
【図３】
0003767142.tif 000004
【図４】
0003767142.tif 000005